(57)【要約】      （修正有）【課題】ブロック塀内部に水を滞留させず、美観を損なわず、耐久性・耐候性に優れたブロック塀を施工できる安価な無底空洞コンクリートブロックを提供する。【解決手段】無底空洞部を上下方向に置いたさいに、フェイスシェルの上面部と面一に形成された、ウェブの上面部から、ウェブに前記フェイスシェルの上面部の長手方向と、平行に切り込みされた、２又は３の切り込み線を備えている。フェイスシェル側に、ウェブの残部が残されている。【選択図】図１
0003158091.tif 000002
【実用新案登録請求の範囲】
【請求項１】
フェイスシェルと面一に形成された，ウェブの上面から，前記フェイスシェルと，平行に切り込みされた，２又は３の切り込み線を備えていることを特徴とする，無底空洞コンクリートブロック
【請求項２】
前記フェイスシェル側に，前記ウェブの残部が残されている事を，特徴とする，請求項１に記載の，無底空洞コンクリートブロック
【考案の詳細な説明】
【技術分野】
【０００１】本考案は，ブロック塀・化粧ブロック塀・ブロック組積工事などの，建築用資材として使用される無底空洞コンクリートブロック１Ａ（図  １）（図  ２）３（図  ４）に関するものである。【０００２】本考案は，ブロック塀・化粧ブロック塀・ブロック組積（以後化粧ブロック塀・ブロック組積を省略）の造作において，ブロック塀の寿命を延ばし，欠陥をなくすために改良された，無底空洞コンクリートブロックに関するものである。
【背景技術】
【０００３】ブロック塀は，以下のように施工される。【０００４】まず，ブロック塀の基礎工事で，工事は，始めに床堀が行われ，クリ石や砂利が敷かれ，機械により打ち固められる。【０００５】次に基礎部鉄筋工事が行われる。  その際，縦鉄筋２２（図  ９）をブロック幅１個分若しくは，２個分の間隔（各々のブロックのフェイスシェル接続部が，合わさって作られた空洞部の中心にくるように）で，基礎部の鉄筋に結束線で結ばれ，基礎部より立ち上げ，スペーサーブロックなどを使用し，地面より浮かして，組まれる。【０００６】そして，型枠工事を行う。【０００７】最後に，コンクリート工事を行い，ブロック塀の基礎の部分２４（図  ９）が完成する。【０００８】基礎部を造成したのち，その上にモルタルを置き，建築用空洞コンクリートブロック基本型４Ｂ（図  ９）（図１０）のフェイスシェルの接続部１２（図１０）に，モルタルを置き，ブロックの空洞のある面を上下として，各々のブロックの接続孔１３（図１０）の中心に，縦鉄筋２２（図１０）がくるようにし，水平に並ぶように積んだ後，更に積み上げるという作業が，繰り返され，ブロック塀として，完成される。【０００９】ブロック塀の，垂直方向の強度を保つため，縦鉄筋とともに，各々のブロックの接続部にモルタル若しくはコンクリートで穴埋めする。【００１０】この際塀面が，鉛直となるように，また，平面性を保つように注意を払われる。【００１１】上下のブロックの接着は，フェイスシェル１１（図１０）の上面部の両側に，モルタルを施し，その上に新たなブロックを置き，接着している。【００１２】各々のブロックの，上下左右の接着部分（モルタルを施した部分）を目地２１（図８）（図  ９）と言う。【００１３】ブロック塀の，水平方向の強度を保つために，ブロック３段〜４段以内に１段は，横鉄筋２３（図  ９）（図１２）を，入れなければならない。【００１４】建築用空洞コンクリートブロック基本型４Ｂ（図  ９）（図１０）では，水平方向に鉄筋を入れることはできない。【００１５】ブロック塀に横鉄筋を挿入するには，建築用空洞コンクリートブロック横筋型５Ｂ（図  ９）（図１１）（図１２）を使用する。【００１６】建築用空洞コンクリートブロック横筋型の，有底空洞部１８（図  ９）を下にして，横筋２０（図  ９）（図１１）（図１２）を上にして，横筋に，水平に鉄筋を挿入し，モルタル若しくはコンクリートで埋めて，水平方向の強度を保つ。【００１７】建築用空洞コンクリートブロック横筋型５Ｂ（図  ９）（図１１）（図１２）の有底空洞部１８（図  ９）は，横筋２０（図  ９）（図１１）（図１２）に，貫通していないため，横筋より下の空洞部は，ブロック塀内部に，空洞部として，残される。【００１８】使用されているコンクリートブロックには，ほかにも，透かしブロック・かさ木ブロックがある。【００１９】ブロック塀の，外観の美観を重要視される場合は，ブロックの表面を化粧した，いわゆる化粧ブロックがある。
【考案の開示】
【考案が解決しようとする課題】
【００２０】本考案は，建築用空洞コンクリートブロック・化粧ブロックを資材とした，ブロック塀の欠陥を解決することを目的とするが，解決しようとするブロック塀の問題点を下記に記す。【００２１】工事中に雨や雪が降り，その雨や雪が造作中のブロック塀などの空洞部１６（図  ９）に侵入した水が，そのまま残される。【００２２】ブロック塀の一部が地中にあるか，一部土留めに使用されている場合，土中にある水分が，ブロック塀に浸透し，空洞部１６（図  ９）に水が滞留２５（図  ９）する。【００２３】ブロック塀のひびやクラック（破壊）部より，雨水などが入り，空洞部１６（図  ９）に水が滞留２５（図  ９）する。【００２４】ブロック塀に，雨水などが浸透し，空洞部に１６（図  ９）水が滞留２５（図  ９）する。【００２５】下記に，ブロック塀の空洞部に，水が滞留したときの問題点を記す。【００２６】問題点１は，空洞部の滞留した水２５（図  ９）が，凍結などで，フェイスシェル１１（図１０）やウエブ１４（図１０）にひびやクラック（破壊）が入る。【００２７】問題点２は，空洞部の滞留した水２５（図  ９）が，ブロック塀内部に挿入している鉄筋をさびさせ，腐食して朽ち果てていることもあり，鉄さびの膨張により，フェイスシェル部分をクラック（破壊）させブロック塀の寿命を縮めている。【００２８】問題点３は，ブロック塀内部の滞留した水２５（図  ９）が，石灰分を溶け出させ，白華（エフロレッセンス）現象を起こさせ，ブロック塀の美観を著しく損なわせている。【００２９】問題点４は，ブロック塀・化粧ブロック塀ともに，空洞部の滞留した水２５（図  ９）が，ブロック塀の表面を濡（ぬ）れている状態にし，汚れや黒ずみを作り，ブロック塀の美観を著しく損なっている。【００３０】問題点５は，酸性雨のため，コンクリートの中性化が進み，ブロック塀の寿命を縮めている。【００３１】ブロック塀の劣化や不良工事により，地震や震動で，ブロック塀の倒壊による負傷事故や，死亡事故が数多く起きている。【００３２】ブロック塀を造作する場合，ブロック塀の欠陥をふまえ，その問題点を解決することにより，ブロック塀の倒壊事故による，不幸な事故を減らせると確信する。【００３３】上記の問題点を解決した，ブロック塀を施工するには，ブロック塀内部の空洞部に，水を滞留できないようにするか，若しくは，滞留水を外に出すようにする方法がある。【００３４】では，ブロック塀の空洞部に，水が滞留できないようにする方法とは，ブロック塀内部の空洞部全（すべ）てを，モルタル若しくはコンクリートで，埋めることである。【００３５】建築用空洞コンクリートブロックを，加工して施工すると想定して，下記に記す。【００３６】まず，電動ベビーサンダー＋ダイヤモンドカッターを使い，建築用空洞コンクリートブロック基本型４Ｂ（図１０）の，フェイスシェル１１（図１０）と面一のウェブ１４（図１０）より，ウェブすべてに，前記のフェイスシェル１１（図１０）上面部に対して，平行に２線の切り込み線を入れる。【００３７】次に，切り込み線２６（図  １）（図  ２）と切り込み線２７（図  １）（図  ２）の間をハンマーなどで打ち割り，水平に鉄筋の入る溝２８（図  ３）を形成し，加工作業が終了���る。  ２（図  ３）【００３８】加工した建築用空洞ブロックを使用して，切り欠き溝２８（図  ３）に，水平に鉄筋２３（図  ６）を挿入し，空洞部に水が滞留できないように，空洞部全（すべ）てを，モルタル若しくはコンクリートで，埋めてブロック塀を造作する。図  ６【００３９】上記の場合，建築用空洞コンクリートブロックを加工したときの，問題点を下記に記す。【００４０】通常，工事現場に，建材店が，空洞コンクリートブロックを搬入するので，加工は，工事現場で行うと想定する。【００４１】問題点１は，工事を行う場所は，住宅街である場合が多い，そのため工事現場では，加工するとき，騒音問題（コンクリートを切断する時の騒音）が発生する。【００４２】問題点２は，コンクリートブロックを切断するとき，白い粉じんが大量に発生することである。【００４３】問題点３は，コンクリートブロックを加工するとき，電動ベビーサンダー＋ダイヤモンドカッターを使用するので，大変危険である。【００４４】問題点４は，加工するには，費用と手間が，かかることである。【００４５】加工にかかる費用を試算してみると，ブロックの移動及び加工に１時間に２５個加工できるとして，１日の作業時間が，８時間とすると，製作数は，２００個として仮定すると，作業員の日当は，１２０００円として試算すると，人件費だけでも，１個６０円かかる。【００４６】ほかにも消耗品（ダイヤモンドカッター）・工具の損料（電動ベビーサンダー）・電気代・石ぼこり対策費などの費用が，必要である。
【課題を解決するための手段】
【００４７】本考案は，上記の，ブロック塀内部の滞留した水が犯す問題点を解決し，ブロック塀の寿命を延ばし美観を維持し，耐久性・耐候性のあるブロック塀造成に，役に立つ建築資材として，また，十分な強度を有する無底空洞コンクリートブロックを安価に提供することである。【００４８】また，本考案と同等な効果を持つ，無底空洞コンクリートブロックに加工すると想定したときの，騒音問題，粉塵（ふんじん）問題，危険性，手間及び費用などの諸問題を解決し，無底空洞コンクリートブロックを安価に提供することである。
【考案の効果】
【００４９】本考案の，無底空洞コンクリートブロックは，滞留した水問題を，解決するものであるが，建築用空洞コンクリートブロック基本型・隅型としても使用できる構造を採用する。【００５０】空洞部１６（図  ９）の滞留した水２５（図  ９）の対策として，水が滞留できない方法で，本考案の無底空洞コンクリートブロック１Ａ（図  １）（図  ２）を使用するには，ウェブ１４（図  １）すべての，切り込み線２６（図  １）（図  ２）と切り込み線２７（図  １）（図  ２）の間を，ハンマーなどで打ち割り，切り欠き溝２８（図  ３）を形成する。【００５１】そして，各々のブロックのフェイスシェル接続部が，合わさって作られた空洞部の中心に縦鉄筋２２（図  ５）がくるようにして，切り欠き溝２８（図  ３）（図  ６）に，鉄筋２３（図  ５）（図  ６）を水平に施す。【００５２】空洞部を，モルタル若しくはコンクリートで，埋めることにより，ブロック塀の内部に，水が滞留できない方法で，空洞部に滞留した水が，おこす欠陥をなくし，ブロック塀の問題点を解決するとともに，従来のブロック塀に比べて，はるかに強固で，耐久性・耐候性のあるブロック塀を造作できる。【００５３】なお，従来のブロック塀を造作する場合，主に建築空洞コンクリートブロックの基本型・横筋型・隅型・隅横筋型の４種類を使用するが，本考案の無底空洞コンクリートブロックで，空洞部に，水が滞留できないブロック塀の，造作の場合は，主に基本型と隅型の２種類を使用する。【００５４】また，ブロック塀の問題点を解決する別の方法として，ブロック塀の内部に水を貯めない事である。【００５５】本考案の無底空洞コンクリートブロック１Ａ（図  １）（図  ２）を使用し，ブロック塀の空洞部に，水を貯めない事で，問題点を解決する。【００５６】本考案の無底空洞コンクリートブロック１Ａ（図  １）（図  ２）を使用し，中央２箇所のウェブ１４（図  １）（図  ２）の，切り込み線２６（図  １）（図  ２）と切り込み線２７（図  １）（図  ２）の間を，ハンマーなどで打ち割り使用する。【００５７】上記の，本考案の無底空洞コンクリートブロックを，使用する箇所は，空洞部がモルタル若しくはコンクリートで埋められた段と，横筋が，モルタル若しくは，コンクリートで埋められた段の，上の段で使用する。（図  ８）【００５８】使用方法は，空洞部を貫通させたウエブ部分を下にして，本考案の無底空洞コンクリートブロックの，下にある，目地２１（図  ７）（図  ８）の中央あたりに，小さな水抜き孔２９（図  ７）（図  ８）をつくる。【００５９】水抜き孔２９（図  ７）（図  ８）は，空洞部の底の部分に，貫通させることにより，ブロック塀の内部に，水を貯めない事で，ブロック塀の問題点を解決する。【００６０】本考案の，無底空洞コンクリートブロック１Ａ（図  １）（図  ２）を，そのままの形状で使用する場合は，建築用空洞コンクリートブロックの基本型４Ｂ（図  ９）（図１０）としても使用できる。【００６１】また，本考案の，無底空洞コンクリートブロックを工場で生産することにより，現場にて加工したときの諸問題を，解決すると確信する。【００６２】本考案の，無底空洞コンクリートブロックを工場で生産することにより，工事現場での加工のた��の，騒音問題が，解決する。【００６３】この本考案の無底空洞コンクリートブロックを工場で生産することにより，工事現場での加工のための，石埃（ぼこり）による粉塵（ふんじん）問題が，解決する。【００６４】この本考案の無底空洞コンクリートブロックを工場で生産することにより，手間と費用（コスト）が，大きく軽減する。
【図面の簡単な説明】
【００６５】
【図１】  本考案の，基本型の斜視図。
【図２】  ａは，本考案の，基本型の平面図。ｂは，本考案の，基本型の側面図。
【図３】  切り欠き溝に加工したところの斜視図。
【図４】  ａは，本考案の，隅型の平面図。ｂは，本考案の，隅型の側面図。
【図５】  本考案の組積斜視図。
【図６】  本考案の組積断面図。
【図７】  本考案の組積断面図（水抜き）。
【図８】  本考案の，組積図（水抜き）。
【図９】  建築用空洞コンクリートブロックを使用したブロック組積図
【図１０】  各々の，建築用空洞コンクリートブロック基本型に縦鉄筋挿入図。
【図１１】  各々の，建築用空洞コンクリートブロック横筋型に縦鉄筋挿入図。
【図１２】  各々の，建築用空洞コンクリートブロック横筋型に横鉄筋挿入図
【実地例】
【００６６】以下，添付図に従って説明するが，本考案の実施例は，空洞部に滞留した水２５（図  ９）がおこす様々な問題点と，現場で加工した場合の問題点を，解決するための無底空洞コンクリートブロックである。
【００６７】本考案は，フェイスシェル１１（図  １）（図  ２）の面一に形成されたウェブ１４（図  １）（図  ２）の上面から，前記フェイスシェル１１（図  １）（図  ２）と平行に切り込みされた，２又は３の切り込み線２６（図  １）（図  ２）２７（図  １）（図  ２）を備えていることを特徴とする，無底空洞コンクリートブロック１Ａ（図  １）（図  ２）である。
【００６８】また，前記フェイスシェル１１（図  １）（図  ２）に，前記ウェブの残部１５（図  １）（図  ２）が残されている事を特徴とする，無底空洞コンクリートブロック１Ａ（図  １）（図  ２）であるが，前記フェイスシェル１１（図  １）の，両側の外側に，ウェブを残す１５（図  １）（図  ２）ことにより，本考案の，無底空洞コンクリートブロックの強度を保つ。
【００６９】また，本考案の無底空洞コンクリートブロック隅型３Ａ（図  ４）は，隅部１９（図  ４）の形状を設け，ブロック塀などのコーナーや隅に使用する，無底空洞コンクリートブロックである。
【産業上の利用可能性】
【００７０】本考案の無底空洞コンクリートブロックは，ブロック塀などに使用される基本的な建築資材である，また化粧ブロックにも活用できるので，産業上の利用価値は，極めて高いものである。【００７１】従来のブロック塀に比べ，より強固で，より耐久性・耐候性のあるブロック塀の造成に役立つ建築資材として，また，無底空洞コンクリートブロックとしても，強固であるから，ブロック塀倒壊の災害の防止に役立つものである。【００７２】本考案の，無底空洞コンクリートブロックは，従来の空洞コンクリートブロック基本型と同じように使用できるので，産業上の利用価値は，極めて高いものである。【００７３】本考案は，従来の空洞コンクリートブロックの構造を採用することにより，ブロック工場にて，最小の資本投入で生産でき，安価に提供できる。
【符号の説明】
【００７４】１Ａ  本考案の，無底空洞コンクリートブロック基本型
２Ａ  切り欠き溝に，加工した，無底空洞コンクリートブロック基本型
３Ａ  本考案の，無底空洞コンクリートブロック隅型
４Ｂ  建築用空洞コンクリートブロック基本型
５Ｂ  建築用空洞コンクリートブロック横筋型
１１  フェイスシェル
１２  フェイスシェルの接続部
１３  接続孔（フェイスシェル接続部どうしが，合わさって作られた空洞部）
１４  ウェブ
１５  ウェブ残部
１６  空洞部
１８  有底空洞部
１９  隅部
２０  横筋
２１  目地
２２  鉄筋（縦鉄筋）
２３  鉄筋（横鉄筋）
２４  基礎部
２５  滞留した水
２６  切り込み線ａ
２７  切り込み線ｂ
２６  切り欠け溝
２７  水抜き孔
【図１】
0003158091.tif 000003
【図２】
0003158091.tif 000004
【図３】
0003158091.tif 000005
【図４】
0003158091.tif 000006
【図５】
0003158091.tif 000007
【図６】
0003158091.tif 000008
【図７】
0003158091.tif 000009
【図８】
0003158091.tif 000010
【図９】
0003158091.tif 000011
【図１０】
0003158091.tif 000012
【図１１】
0003158091.tif 000013
【図１２】
0003158091.tif 000014
【手続補正書】
【提出日】平成21年11月2日(2009.11.2)
【手続補正２】
【補正対象書類名】図面
【補正対象項目名】図７
【補正方法】変更
【補正の内容】
【図７】
0003158091.tif 000015
【手続補正書】
【提出日】平成22年1月13日(2010.1.13)
【手続補正１】
【補正対象書類名】実用新案登録請求の範囲
【補正対象項目名】全文
【補正方法】変更
【補正の内容】
【実用新案登録請求の範囲】
【請求項１】
無底空洞部を上下方向に置いたさいに、フェイスシェルの上面部と面一に形成された，ウェブの上面部から，前記ウェブに前記フェイスシェルの上面部の長手方向と，平行に切り込みされた，２又は３の切り込み線を備えていることを特徴とする，無底空洞コンクリートブロック
【請求項２】
前記フェイスシェル側に，前記ウェブの残部が残されている事を，特徴とする，請求項１に記載の，無底空洞コンクリートブロック
【手続補正２】
【補正対象書類名】明細書
【補正対象項目名】全文
【補正方法】変更
【補正の内容】
【考案の詳細な説明】
【技術分野】
【０００１】
本考案は，ブロック塀・化粧ブロック塀・ブロック組積工事などの，建築用資材として使用される無底空洞コンクリートブロック１Ａ（図１）（図２）３Ａ（図４）に関するものである。
【０００２】
本考案は，ブロック塀・化粧ブロック塀・ブロック組積（以後化粧ブロック塀・ブロック組積を省略）の造作において，ブロック塀の寿命を延ばし，欠陥をなくすために改良された，無底空洞コンクリートブロックに関するものである。
【背景技術】
【０００３】
ブロック塀は，以下のように施工される。
【０００４】
まず，ブロック塀の基礎工事で，工事は，始めに床堀が行われ，クリ石や砂利が敷かれ，機械により打ち固められる。
【０００５】
次に基礎部鉄筋工事が行われる。その際，縦鉄筋２２（図９）をブロック幅１個分若しくは，２個分の間隔で，基礎部の鉄筋に結束線で結ばれ，基礎部より立ち上げ，スペーサーブロックなどを使用し，地面より浮かして，組まれる。
【０００６】
そして，型枠工事を行う。
【０００７】
最後に，コンクリート工事を行い，ブロック塀の基礎部２４（図９）が完成する。
【０００８】
基礎部を造成したのち，その上にモルタルを置き，建築用空洞コンクリートブロック基本型４Ｂ（図９）（図１０）のフェイスシェルの接続部１２（図１０）に，モルタルを置き，ブロックの無底空洞部のある面を上下方向として，各々のブロックの接続孔１３（図１０）の中心に，縦鉄筋２２（図１０）がくるようにし，水平に並ぶように積んだ後，更に積み上げるという作業が，繰り返され，ブロック塀として，完成される。
【０００９】
ブロック塀の，垂直方向の強度を保つため，縦鉄筋とともに，各々のブロックの接続孔１３（図１０）にモルタル若しくはコンクリートで穴埋めする。
【００１０】
この際塀面が，鉛直となるように，また，平面性を保つように注意を払われる。
【００１１】
上下のブロックの接着は，フェイスシェルの上面部１１ａ（図１０）の両側に，モルタルを施し，その上に新たなブロックを置き，接着している。
【００１２】
各々のブロックの，上下左右の接着部分（モルタルを施した部分）を目地２１（図８）（図９）と言う。
【００１３】
ブロック塀の，水平方向の強度を保つために，ブロック３段〜４段以内に１ 段は，横鉄筋２３（図９）（図１２）を，入れなければ ならない。
【００１４】
建築用空洞コンクリートブロック基本型４Ｂ（図９）（図１０）では，水平方向に鉄筋を入れることはできない。
【００１５】
ブロック塀に横鉄筋を挿入するには，建築用空洞コンクリートブロック横筋型５Ｂ（図９）（図１１）（図１２）を使用する。
【００１６】
建築用空洞コンクリートブロック横筋型５Ｂ（図９）（図１１）（図１２）の，有底空洞部１８（図９）を下にして，横筋２０（図９）（図１１）（図１２）を上にして，横筋２０（図９）（図１１）（図１２）に，水平に鉄筋を挿入し，モルタル若しくはコンクリートで埋めて，水平方向の強度を保つ。
【００１７】
建築用空洞コンクリートブロック横筋型５Ｂ（図９）（図１１）（図１２）の有底空洞部１８（図９）は，横筋２０（図９）（図１１）（図１２）に，貫通していないため，横筋２０（図９）（図１１）（図１２）より下の空洞部１６（図９）は，ブロック塀内部に，空洞部１６（図９）として，残される。
【００１８】
使用されているコンクリートブロックには，ほかにも，透かしブロック・かさ木ブロックがある。
【００１９】
ブロック塀の，外観の美観を重要視される場合は，ブロックの表面を化粧した，いわゆる化粧ブロックがある。
【考案の概要】
【考案が解決しようとする課題】
【００２０】
本考案は，建築用空洞コンクリートブロック・化粧ブロックを資材とした，ブロック塀の欠陥を解決することを目的とするが，解決しようとするブロック塀の問題点を下記に記す。
【００２１】
工事中に雨や雪が降り，その雨や雪が造作中のブロック塀などの空洞部１６（図９）に侵入した水が，そのまま残される。
【００２２】
ブロック塀の一部が地中にあるか，一部土留めに使用されている場合，土中にある水分が，ブロック塀に浸透し，空洞部１６（図９）に水が２５（図９）滞留する。
【００２３】
ブロック塀のひびやクラック（破壊）部より，雨水などが入り，空洞部１６（図９）に水２５（図９）が滞留する。
【００２４】
ブロック塀に，雨水などが浸透し，空洞部１６（図９）に水２５（図９）が滞留する。
【００２５】
下記に，ブロック塀の空洞部に，水が滞留したときの問題点を記す。
【００２６】
問題点１は，空洞部１６（図９）の滞留した水２５（図９）が，凍結などで，フェイスシェル１１（図１０）やウエブ１４（図１０）にひびやクラック（破壊）が入る。
【００２７】
問題点２は，空洞部の滞留した水２５（図９）が，ブロック塀内部に挿入している鉄筋をさびさせ，腐食して朽ち果てていることもあり，鉄さびの膨張により，フェイスシェル１１（図１０）部分をクラック（破壊）させブロック塀の寿命を縮めている。
【００２８】
問題点３は，ブロック塀内部の滞留した水２５（図９）が，石灰分を溶け出させ，白華（エフロレッセンス）現象を起こさせ，ブロック塀の美観を著しく損なわせている。
【００２９】
問題点４は，ブロック塀・化粧ブロック塀ともに，空洞部１６（図９）の滞留した水２５（図９）が，ブロック塀の表面を濡（ぬ）れている状態にし，汚れや黒ずみを作り，ブロック塀の美観を著しく損なっている。
【００３０】
問題点５は，酸性雨のため，コンクリートの中性化が進み，ブロック塀の寿命を縮めている。
【００３１】
ブロック塀の劣化や不良工事により，地震や震動で，ブロック塀の倒壊による負傷事故や，死亡事故が数多く起きている。
【００３２】
ブロック塀を造作する場合，ブロック塀の欠陥をふまえ，その問題点を解決することにより，ブロック塀の倒壊事故による，不幸な事故を減らせると確信する。
【００３３】
上記の問題点を解決した，ブロック塀を施工するには，ブロック塀内部の空洞部１６（図９）に，水を滞留できないようにするか，若しくは，滞留する水２５（図９）を外に出すようにする方法がある。
【００３４】
では，ブロック塀の空洞部１６（図９）に，水が滞留できないようにする方法とは，ブロック塀内部の空洞部１６（図９）全（すべ）てを，モルタル若しくはコンクリートで，埋めることである。
【００３５】
建築用空洞コンクリートブロックを，加工して施工すると想定して，下記に記す。
【００３６】
まず，電動ベビーサンダー＋ダイヤモンドカッターを使い，建築用空洞コンクリートブロック基本型４Ｂ（図１０）の，フェイスシェルの上面部１１ａ（図１０）（類似図１１ａ（図１）に相当）と面一のウェブの上面部１４ａ（図１０）（類似図１４ａ（図１）に相当）より，ウェブすべてに，前記フェイスシェルの上面部１１ａ（図１０）（類似図１１ａ（図１）に相当）の長手方向に対して，平行に２線の切り込み線（類似図２６（図１）（図２）に相当）を入れる。
【００３７】
次に，切り込み線（類似図２６ａ（図１）（図２）に相当）と切り込み線（類似図２６ｂ（図１）（図２）に相当）の間をハンマーなどで打ち割り，水平に鉄筋を入る切り欠き溝（類似図２７（図３）に相当）を形成し，加工作業が終了する。  （参考類似図２Ａ（図３）に相当）
【００３８】
加工した建築用空洞ブロック（参考類似図２Ａ（図３）に相当）を使用して，切り欠き溝（参考類似図２７（図３）に相当）に，水平に鉄筋（参考類似図２３（図６）に相当）を挿入し，空洞部１６（図９）に水２５（図９）が滞留できないように，空洞部１６（図９）全（すべ）てを，モルタル若しくはコンクリートで，埋めてブロック塀を造作する。（参考図・図６）
【００３９】
上記の場合，建築用空洞コンクリートブロックを加工したときの，問題点を下記に記す。
【００４０】
通常，工事現場に，建材店が，空洞コンクリートブロックを搬入するので，加工は，工事現場で行うと想定する。
【００４１】
問題点１は，工事を行う場所は，住宅街である場合が多い，そのため工事現場では，加工するとき，騒音問題（コンクリートを切断する時の騒音）が発生する。
【００４２】
問題点２は，コンクリートブロックを切断するとき，白い粉じんが大量に発生することである。
【００４３】
問題点３は，コンクリートブロックを加工するとき，電動ベビーサンダー＋ダイヤモンドカッターを使用するので，大変危険である。
【００４４】
問題点４は，加工するには，費用と手間が，かかることである。
【００４５】
加工にかかる費用を試算してみると，ブロックの移動及び加工に １時間に２５個加工できるとして，１日の作業時間が，８時間とすると，製作数は，２００個として仮定すると，作業員の日当は，１２０００円として試算すると，人件費だけでも，１個６０円かかる。
【００４６】
ほかにも消耗品（ダイヤモンドカッター）・工具の損料（電動ベビーサンダー）・電気代・石ぼこり対策費などの費用が，必要である。
【課題を解決するための手段】
【００４７】
本考案は，上記の，ブロック塀内部の空洞部１６（図９）に滞留した水２５（図９）が犯す問題点を解決し，ブロック塀の寿命を延ばし美観を維持し，耐久性・耐候性のあるブロック塀造成に，役に立つ建築資材として，また，十分な強度を有する無底空洞コンクリートブロックを安価に提供することである。
【００４８】
また，本考案と同等な効果を持つ，無底空洞コンクリートブロックに加工すると想定したときの，騒音問題，粉塵（ふんじん）問題，危険性，手間及び費用などの諸問題を解決し，無底空洞コンクリートブロックを安価に提供することである。
【考案の効果】
【００４９】
本考案の，無底空洞コンクリートブロックは，ブロック塀内部の空洞部１６（図９）に滞留する水２５（図９）の問題を，解決するものであるが，建築用空洞コンクリートブロック基本型・隅型としても使用できる構造を採用する。
【００５０】
空洞部１６（図９）の滞留した水２５（図９）の対策として，水が滞留できない方法で，本考案の無底空洞コンクリートブロック１Ａ（図１）（図２）を使用するには，ウェブ１４（図１）にあるすべての，切り込み線２６ａ（図１）（図２）と切り込み線２６ｂ（図１）（図２）の間を，ハンマーなどで打ち割り，切り欠き溝２８（図３）を形成する。
【００５１】
そして，各々のブロックのフェイスシェルの接続部１２（図３）（図５）（参考類似図１２（図１０）に相当）が，合わさって作られた接続孔１３（図５）（参考類似図１３（図１０）に相当）の中心に縦鉄筋２２（図５）がくるようにして，切り欠き溝２７（図３）（図５）（図６）に，鉄筋２３（図５）（図６）を水平に施す。
【００５２】
空洞部を，モルタル若しくはコンクリートで，埋めることにより，ブロック塀の内部に，水が滞留できない方法で，空洞部１６（図９）に滞留した水２５（図９）が，おこす欠陥をなくし，ブロック塀の問題点を解決するとともに，従来のブロック塀に比べて，はるかに強固で，耐久性・耐候性のあるブロック塀を造作できる。
【００５３】
なお，従来のブロック塀を造作する場合，主に建築空洞コンクリートブロックの基本型・横筋型・隅型・隅横筋型の４種類を使用するが，本考案の無底空洞コンクリートブロックで，空洞部１６（図９）に，水２５（図９）が滞留できないブロック塀の，造作の場合は，主に基本型と隅型の２種類を使用する。
【００５４】
また，ブロック塀の問題点を解決する別の方法として，ブロック塀の内部の空洞部１６（図９）に水をためない事である。
【００５５】
本考案の無底空洞コンクリートブロック１Ａ（図１）（図２）を使用し，ブロック塀の空洞部１６（図９）に，水をためない事で，問題点を解決する。
【００５６】
本考案の無底空洞コンクリートブロック１Ａ（図１）（図２）を使用し，中央２箇所のウェブ１４（図１）（図２）の，切り込み線２６ａ（図１）（図２）と切り込み線２６ｂ（図１）（図２）の間を，ハンマーなどで打ち割り使用する。
【００５７】
上記の，本考案の無底空洞コンクリートブロック１Ａ（図１）（図２）を，使用する箇所は，無底空洞部をモルタル若しくはコンクリートで埋める段と，横筋を，モルタル若しくは，コンクリートで埋める段の，上の段で使用する。（参考図・図７・図８）
【００５８】
使用方法は，空洞部を貫通させたウエブ部分を下にして，本考案の無底空洞コンクリートブロック１Ａ（図１）（図２）の，下にある，目地２１（図７）（図８）の中央あたりに，小さな水抜き孔２８（図７）（図８）をつくる。
【００５９】
水抜き孔２８（図７）（図８）は，空洞部１６（図９）の底の部分に，貫通させることにより，ブロック塀の内部の空洞部１６（図９）に，水を貯めない事で，ブロック塀の問題点を解決する。
【００６０】
本考案の，無底空洞コンクリートブロック１Ａ（図１）（図２）を，そのままの形状で使用する場合は，建築用空洞コンクリートブロックの基本型（類似図４Ｂ（図９）（図１０）に相当）の代用としても使用できる。
【００６１】
また，本考案の，無底空洞コンクリートブロックを工場で生産することにより，現場にて加工したときの諸問題を，解決すると確信する。
【００６２】
本考案の，無底空洞コンクリートブロックを工場で生産することにより，工事現場での加工のための，騒音問題が，解決する。
【００６３】
この本考案の無底空洞コンクリートブロックを工場で生産することにより，工事現場での加工のための，石埃（ぼこり）による粉塵（ふんじん）問題が，解決する。
【００６４】
この本考案の無底空洞コンクリートブロックを工場で生産することにより，手間と費用（コスト）が，大きく軽減する。
【図面の簡単な説明】
【００６５】
【図１】本考案の，基本型の斜視図。
【図２】ａは，本考案の，基本型の平面図。ｂは，本考案の，基本型の側面図。
【図３】切り欠き溝に加工したところの斜視図。
【図４】ａは，本考案の，隅型の平面図。ｂは，本考案の，隅型の側面図。
【図５】本考案の組積斜視図。
【図６】本考案の組積断面図。
【図７】本考案の組積断面図（水抜き）。
【図８】本考案の，組積図（水抜き）。
【図９】建築用空洞コンクリートブロックを使用したブロック組積図
【図１０】各々の，建築用空洞コンクリートブロック基本型に縦鉄筋挿入図。
【図１１】各々の，建築用空洞コンクリートブロック横筋型に縦鉄筋挿入図。
【図１２】各々の，建築用空洞コンクリートブロック横筋型に横鉄筋挿入図
【実施例】
【００６６】
以下，添付図に従って説明するが，本考案の実施例は，ブロック塀の内部の空洞部１６（図９）に滞留する水２５（図９）がおこす様々な問題点と，現場で加工した場合の問題点を，解決するための無底空洞コンクリートブロックである。
【００６７】
本考案は無底空洞部１７（図１）（図２）を上下方向にに置いたさいに，フェイスシェルの上面部１１ａ（図１）（図２）と面一に形成されたウェブの上面部から，前記ウェブに前記フェイスシェルの上面部１１ａ（図１）（図２）の長手方向と，平行に切り込みされた，２又は３の切り込み線２６（図１）（図２）を備えていることを特徴とする，無底空洞コンクリートブロック１Ａ（図１）（図２）である。
【００６８】
また，前記フェイスシェル１１（図１）（図２）側に，前記ウェブの残部１５（図１）（図２）が残されている事を特徴とする、無底空洞コンクリートブロックであるが，前記フェイスシェル１１（図１）側に，ウェブの残部１５（図１）（図２）を残すことにより，本考案の，無底空洞コンクリートブロック１Ａ（図１）の強度を保つ。
【００６９】
また，本考案の無底空洞コンクリートブロック隅型３Ａ（図４）は，隅部１９（図４）の形状を設け，ブロック塀などのコーナーや隅に使用する，無底空洞コンクリートブロックである。
【産業上の利用可能性】
【００７０】
本考案の無底空洞コンクリートブロックは，ブロック塀などに使用される基本的な建築資材である，また化粧ブロックにも活用できるので，産業上の利用価値は，極めて高いものである。
【００７１】
従来のブロック塀に比べ，より強固で，より耐久性・耐候性のあるブロック塀の造成に役立つ建築資材として，また，無底空洞コンクリートブロックとしても，強固であるから，ブロック塀倒壊の災害の防止に役立つものである。
【００７２】
本考案の，無底空洞コンクリートブロックは，従来の空洞コンクリートブロック基本型と同じように使用できるので，産業上の利用価値は，極めて高いものである。
【００７３】
本考案は，従来の空洞コンクリートブロックの構造を採用することにより，ブロック工場にて，最小の資本投入で生産でき，安価に提供できる。
【符号の説明】
【００７４】
１Ａ    本考案の，無底空洞コンクリートブロック基本型
２Ａ    切り欠き溝に，加工した，無底空洞コンクリートブロック基本型
３Ａ    本考案の，無底空洞コンクリートブロック隅型
４Ｂ    建築用空洞コンクリートブロック基本型
５Ｂ    建築用空洞コンクリートブロック横筋型
１１    フェイスシェル
１１ａ  フェイスシェルの上面部
１１ｂ  フェイスシェルの表面部
１２    フェイスシェルの接続部
１３    接続孔（フェイスシェル接続部どうしが，合わさって作られた空洞部）
１４    ウェブ
１４ａ  ウェブの上面部
１５    ウェブの残部
１６    空洞部
１７    無底空洞部
１８    有底空洞部
１９    隅部
２０    横筋
２１    目地
２２    鉄筋（縦鉄筋）
２３    鉄筋（横鉄筋）
２４    基礎部
２５    水（ブロック塀の内部の空洞部に滞留した水若しくは滞留する水のこと）
２６    切り込み線
２６ａ  切り込み線ａ
２６ｂ  切り込み線ｂ
２７    切り欠き溝
２８    水抜き孔
【手続補正３】
【補正対象書類名】図面
【補正対象項目名】全図
【補正方法】変更
【補正の内容】
【図１】
0003158091.tif 000016
【図２】
0003158091.tif 000017
【図３】
0003158091.tif 000018
【図４】
0003158091.tif 000019
【図５】
0003158091.tif 000020
【図６】
0003158091.tif 000021
【図７】
0003158091.tif 000022
【図８】
0003158091.tif 000023
【図９】
0003158091.tif 000024
【図１０】
0003158091.tif 000025
【図１１】
0003158091.tif 000026
【図１２】
0003158091.tif 000027